(57)【特許請求の範囲】
【請求項１】
モータ本体部は筒状のモータケースを有し、前記モータケースの後端には、回路基板に実装されるターミナルを取り付けたブラケットが固定され、前記モータ本体部の前記モータケースにホルダが装着されてなる表面実装用モータにおいて、
前記ホルダは、
前記モータケースの外周面に当接されると共に、前記回路基板に実装されるホルダ本体と、
前記ホルダ本体の後端から前記ブラケットに向けて前記モータ本体部の軸線方向に延在する延長部と、
前記延長部の後端で前記延長部の幅方向に拡張されると共に、前記ブラケットに設けられた凹部内に圧入されるストッパ部とを有し、
前記ブラケットに設けられた凹部の前記モータケース側前壁面と前記ストッパ部の拡張されたホルダ本体側の端部側面とが圧接されることを特徴とする表面実装用モータ。
【請求項２】
前記延長部は、前記回路基板に対して非接触であることを特徴とする請求項１記載の表面実装用モータ。
【請求項３】
前記延長部の前側は、前記ホルダ本体の実装面に対して傾斜して延在し、前記延長部の後側は、前記モータケースに沿って延在して前記モータケースに当接することを特徴とする請求項１又は２記載の表面実装用モータ。
【発明の詳細な説明】
【技術分野】
【０００１】
本発明は、回路基板への表面実装に適したモータに関するものである。
【背景技術】
【０００２】
従来、このような分野の技術として、特開平１１−２３４９４３号公報がある。この公報に記載された表面実装用モータは、モータ本体に金属製ホルダー枠が固定されて構成されている。モータ本体は、ブラシ付きモータであり、略円柱状の胴部(モータケース)を有し、この略円柱状胴部の後端は樹脂製のエンドブラケットで閉蓋されている。このエンドブラケットには、回路基板に実装される端子片(ターミナル)や、コミテータに対して摺動するブラシ端子片が固定されている。また、金属製ホルダー枠は、モータ本体の胴部に装着されるホルダ本体を有し、このホルダ本体は、回路基板に当接する長方形の底板部と、この底版部の長辺側から上方に折り曲げ起立されて、振動モータ本体の略円柱状胴部を挟持する一対の挟持バネ片とを有する。更に、ホルダ本体の後部には、切欠きが形成され、左右の切欠きの間には、底面幅狭部が延出し、この底面幅狭部の後端は上方に起立させられて押さえ片として形成されている。また、ホルダ本体の前部にも、内側に折り曲げ形成された押さえ片が形成されている。そして、ホルダ枠の前側の押さえ片と後側の押さえ片とにより、モータ本体に対するホルダ枠の回転軸線方向における位置ズレが規制される。
【先行技術文献】
【特許文献】
【０００３】
【特許文献１】特開平１１−２３４９４３号公報
【発明の概要】
【発明が解決しようとする課題】
【０００４】
しかしながら、底面幅狭部の後端に設けられた押さえ片は、単に折り曲げるようにして起立させられて、エンドブラケットに押し当てられているだけなので、モータの落下衝撃によって、押さえ片は、外側に開き易く、これによってモータ本体の胴部からエンドブラケットが外れ易い。エンドブラケットが外れることで、エンドブラケットと一緒にターミナルが回路基板から取れてしまって、モータへの給電を不能にするといった問題点がある。
【０００５】
本発明は、回路基板からターミナルが取れ難い表面実装用モータを提供することを目的とする。
【課題を解決するための手段】
【０００６】
本発明は、モータ本体部は筒状のモータケースを有し、モータケースの後端には、回路基板に実装されるターミナルを取り付けたブラケットが固定され、モータ本体部のモータケースにホルダが装着されてなる表面実装用モータにおいて、
ホルダは、モータケースの外周面に当接されると共に、回路基板に実装されるホルダ本体と、ホルダ本体の後端からブラケットに向けてモータ本体部の軸線方向に延在する延長部と、延長部の後端で延長部の幅方向に拡張されると共に、ブラケットに設けられた凹部内に圧入されるストッパ部とを有し、ブラケットに設けられた凹部のモータケース側前壁面とストッパ部の拡張されたホルダ本体側の端部側面とが圧接されることを有することを特徴とする。
【０００７】
この表面実装用モータにおいては、モータケースに装着されるホルダ本体と、ブラケットに固定されたターミナルとが回路基板に実装される。しかしながら、回路基板には、ターミナルがハンダを介して実装されているが、ターミナルの実装面積は小さく、衝撃によってブラケットがモータケースから外れると、ターミナルは、回路基板から容易に取れてしまって、モータへの給電が不能になる。特に、シャフトに分銅が設けられたモータにおいては、落下衝撃時に、軸線方向(スラスト方向)にシャフトが勢い良く変位し易く、シャフトの変位によってシャフトの後端がブラケットに強く当たると、モータケースからターミナル１３が外れ易くなる。そこで、本発明では、ホルダ本体の後端から後方に向けて軸線方向に延在する延長部の後端で幅方向に拡張されているストッパを、ブラケットに設けられた凹部内に圧入させている。これによって、軸線方向におけるブラケットの抜け止め強度が向上し、モータケースからブラケットが外れ難くなり、その結果として、回路基板からターミナルが外れ難くなるといった優れた効果を有する。
【０００８】
また、延長部は、回路基板に対して非接触であると好適である。
延長部は、回路基板に実装されるホルダ本体に連結されているので、回路基板とホルダとの間に配置されるクリームハンダを延長部に沿って流動させ易く、延長部が回路基板に非接触であるがゆえに、電気炉内でクリームハンダが溶融した際、延長部と回路基板との間の隙間を余剰なハンダの溜まりとして利用することができる。
【０００９】
また、延長部の前側は、ホルダ本体の実装面に対して傾斜して延在し、延長部の後側は、モータケースに沿って延在してモータケースに当接すると好適である。
このような構成によって、回路基板に対して延長部を非接触にすることができ、延長部の後側でモータケースに対する延長部の座り安定性を確保することができる。これによって、延長部のストッパ部をブラケットの凹部内に圧入させ易くなる。
【発明の効果】
【００１０】
本発明によれば、回路基板からターミナルを取れ難くできる。
【図面の簡単な説明】
【００１１】
【図１】本発明に係る表面実装用モータの一実施形態を示す断面図である。
【図２】図１に示されたモータの斜視図である。
【図３】図１に示されたモータの斜視図である。
【図４】図１に示されたモータの底面図である。
【図５】印刷配線基板を示す斜視図である。
【図６】印刷配線基板上にモータを実装した状態を示す斜視図である。
【図７】図６のＶII−ＶII線に沿う断面図である。
【図８】モータ本体部とホルダとを組み付ける前の状態を示す斜視図である。
【図９】モータ本体部とホルダとを組み付ける前の状態を示す斜視図である。
【図１０】ホルダを示す斜視図である。
【図１１】ホルダを示す斜視図である。
【図１２】ホルダの正面図である。
【図１３】ホルダの平面図である。
【発明を実施するための形態】
【００１２】
以下、図面を参照しつつ本発明に係る表面実装用モータの好適な実施形態について詳細に説明する。なお、分銅側を「前方側」として以下説明する。
【００１３】
図１〜図４に示すように、表面実装用モータ１は、リフロー半田付けによって印刷配線基板（回路基板）Ｐに表面実装される小型の振動モータである。このモータ１は、直径約４ｍｍで長さ約１０ｍｍの筒状のモータケース２を有するモータ本体部Ａと、モータ本体部Ａのモータケース２に装着されて、モータ本体Ａの印刷配線基板Ｐへの実装を可能にする金属製のホルダ３とで構成されている。
【００１４】
モータケース２は、金属製で円筒状又は断面小判状に形成され、モータケース２の後端は開放され、この後端に樹脂製のブラケット６が装着されている。モータケース２の前端側には、縮径されて突き出された首部２ａが形成され、首部２ａの前端からシャフト７の一部が突き出している。シャフト７の端部には、断面半円状の分銅８がカシメ固定又は圧入によって偏芯固定されている。分銅８の後端側には、首部２ａの一部が収まる窪み８ａが形成されている。
【００１５】
分銅８が固定されたシャフト７は、首部２ａ内に圧入されたオイル含浸軸受４と、ブラケット６内に圧入されたオイル含浸軸受５とによって軸支され、シャフト７の回転時に、シャフト７の後端７ａはブラケット６の内壁面に摺動する。また、モータケース２の後端には、後方に向けて突出する爪片２ｄが、径方向に対向して一対設けられている。各爪片２ｄは、ブラケット６に形成された凹部６ａ内で内側に向けて「く」の字状折り曲げられて、ブラケット６の凹部６ａの傾斜状前端面６ｃに押し当てられている。これによって、モータケース２にブラケット６が固定され、ブラケット６の脱落を防止している。
【００１６】
モータ本体部Ａにおいて、モータケース２内には、内壁面に接着された永久磁石からなるステータ９と、ステータ９により包囲されて、シャフト７に固定されたロータ１０とが収容されている。ロータ１０のコア１０ａにはコイル１０ｂが巻かれ、コイル１０ｂは、モータケース２の後端側でシャフト７に固定された整流子片１０ｃに接続されている。整流子片１０ｃは、ブラケット６に固定された一対のブラシ１１に対して回転しながら摺動する。
【００１７】
ブラケット６には、ブラシ１１に設けられた接続端子１１ａが突出する貫通孔が形成されていると共に、Ｌ字状に折り曲げ成形された左右一対のターミナル１３が固定されている。Ｌ字状のターミナル１３は、ブラケット６の後端面に当接配置される基部１３Ａと、基部１３Ａに対して直角に折り曲げられて印刷配線基板Ｐに対してクリームハンダにより表面実装される実装部１３Ｂとからなる。
【００１８】
ブラケット６の後端面から突出したブラシ１１の接続端子１１ａは、ターミナル１３の基部１３Ａに形成された第１の孔部１３ａから突出し、ターミナル１３の基部１３Ａから突出したブラシ１１の接続端子１１ａは、ハンダにより基部１３Ａに電気的接続されている。更に、ブラケット６の後端面には位置決めピン６ｂが形成され、この位置決めピン６ｂを、ターミナル１３の基部１３Ａに形成された第２の孔部１３ｃから突出させることで、ブラケット６に対するターミナル１３の位置決めを可能にしている。
【００１９】
図５に示すように、印刷配線基板（回路基板）Ｐ上には、ホルダ３のホルダ本体３Ａの底部２０における実装面２０ｂ(図３参照)を実装するためのホルダ固定パターンＳ１と、このホルダ固定パターンＳ１の後方に配置されて、左右一対のターミナル１３の実装部１３Ｂにおける実装面１３ｂ(図３参照)を実装するための給電パターンＳ２と、が設けられている。
【００２０】
図６及び図７に示すように、ホルダ固定パターンＳ１及び給電パターンＳ２上にクリームハンダが塗布され、実装機により、ホルダ固定パターンＳ１上にホルダ３の実装面２０ｂが載置され、給電パターンＳ２上にターミナル１３の実装部１３Ｂの実装面１３ｂが載置される。これによって、印刷配線基板Ｐ上にモータ１が実装され、この状態で、電気炉内に搬入されて、クリームハンダを溶融させ、ホルダ固定パターンＳ１とホルダ３の実装面２０ｂとがハンダを介して一体化され、給電パターンＳ２とターミナル１３の実装部１３Ｂとがハンダを介して一体化される。
【００２１】
次に、このように構成されたモータ本体部Ａに装着される金属製のホルダ３について詳細に説明する。
【００２２】
図８〜図１３に示すように、板厚０．２ｍｍの金属製ホルダ３は、一枚のステンレス製の平板を所定の形状に打ち抜き加工した後、その平板を折り曲げ加工することにより成形される。
【００２３】
ホルダ３は、ホルダ本体３Ａと、ホルダ本体３Ａの後端から後方に向けて略回転軸線Ｌ方向に延在する延長部３Ｂとからなる。ホルダ本体３Ａは、印刷配線基板Ｐにクリームハンダにより表面実装される矩形の底部２０と、底部２０の両側端から湾曲して起立するバネ性の挟持片２１，２２とを有している。底部２０には、前端から回転軸線Ｌ方向に突出する拡張部２０ｃが設けられている。
【００２４】
挟持片２１，２２には、前端で内側に折り曲げられた爪片２１ａ，２２ａが設けられ、各爪片２１ａ，２２ａは、回転軸線Ｌに対して直交し、モータケース２の首部２ａに向けて延在する。各爪片２１ａ，２２ａは、モータケース２の段差面２ｂ(図２参照)に当接される。モータケース２の外周面に当接させ易いように湾曲させられた挟持片２１，２２の遊端には、外側に曲げ広げられたガイド部２１ｂ，２２ｂが形成されている。各ガイド部２１ｂ，２２ｂは、モータケース２をホルダ本体３Ａ内に押し込む際に、挟持片２１，２２を外側に開き易くし、しかも、モータケース２とホルダ３とを接着剤で固定する際に、モータケース２と挟持片２１，２２との間の隙間に上から接着剤を流し込み易くしている。
【００２５】
ホルダ３の底部２０には、矩形の開口部２０ａが形成されると共に、開口部２０ａ内で回転軸線Ｌ方向に突出したものを開口部２０ａ内から外側に向けて折り畳んでなる底上げ片２４ａ，２４ｂが設けられている。底上げ片２４ａ，２４ｂは、回転軸線Ｌ方向で対向して配置されている。
【００２６】
図１に示すように、モータケース２の底面２ｃに当接される板厚０．２ｍｍの金属製ホルダ３にあっては、底上げ片２４ａ，２４ｂの利用によって、モータケース２の底面２ｃをホルダ３の底部２０の実装面２０ｂから０．４ｍｍ離間させることができる。また、ターミナル１３の実装部１３Ｂはブラケット６の下端から径方向に突出し、ホルダ３の実装面２０ｂは、ブラケット６に固定されたターミナル１３の実装部１３Ｂの実装面１３ｂと同一平面上に位置する。
【００２７】
図８〜図１３に示すように、ホルダ３には、ホルダ本体３Ａの後端から後方に向けて略回転軸線Ｌ方向に延在する延長部３Ｂが設けられている。この延長部３Ｂは、一定の幅でホルダ本体３Ａの後端からブラケット６に向かって延在する。更に、延長部３Ｂには、この後端で延長部３Ｂの幅方向(回転軸線Ｌに対して直交する方向)に拡張されたストッパ部３０が形成され、ストッパ部３０は、回転軸線Ｌに対して直交する方向でＴ字状に拡張されている。
【００２８】
樹脂製のブラケット６には、ターミナル１３の実装部１３Ｂ間に凹部３１が設けられ、この凹部３１内にストッパ部３０が圧入される。凹部３１は、凹部６ａの両側を拡張するように形成され、凹部３１の前壁面３１ａは、ストッパ部３０に圧接される(図４参照)。これによって、ブラケット６の回転軸線Ｌ方向の抜けをホルダ３によって確実に防止することができる。延長部３Ｂのストッパ部３０を凹部３１内に圧入させた後、モータケース２と挟持片２１，２２との間の隙間に上から接着剤が流し込まれ、モータケース２とホルダ３とを接着剤で固定する。これによって、ブラケット６は、延長部３Ｂにより、回転軸線Ｌ方向にしっかり保持される。
【００２９】
延長部３Ｂは、印刷配線基板Ｐに対して非接触である。延長部３Ｂの前側３ａは、ホルダ本体３Ａからモータケース２に向かって近づくように、ホルダ本体３Ａの実装面２０ｂに対して傾斜して延在する。また、延長部３Ｂの後側３ｂは、モータケース２に沿って延在してモータケース２に当接する(図１参照)。延長部３Ｂの前側３ａを傾斜させることで、印刷配線基板Ｐから延長部３Ｂの後側３ｂを、板厚０．２ｍｍに相当する隙間をもって浮き上がらせることを容易にしている。
【００３０】
このような構成によって、印刷配線基板Ｐに対して延長部３Ｂを非接触にすることができ、延長部３Ｂの後側３ｂでモータケース２に対する延長部３Ｂの座り安定性を確保することができる。これにより、延長部３Ｂのストッパ部３０をブラケット６の凹部３１内に圧入させ易くなる。
【００３１】
更に、延長部３Ｂは、印刷配線基板Ｐに実装されるホルダ本体３Ａに連結されているので、印刷配線基板Ｐとホルダ３との間に配置されるクリームハンダを延長部３Ｂに沿って流動させ易く、延長部３Ｂが印刷配線基板Ｐに非接触であるがゆえに、電気炉内でクリームハンダが溶融した際、延長部３Ｂと印刷配線基板Ｐとの間の隙間を余剰なハンダの溜まりとして利用することができる。
【００３２】
印刷配線基板Ｐには、ターミナル１３がハンダを介して実装されているが、ターミナル１３の実装面積は小さく、衝撃によってブラケット６がモータケース２から外れると、ターミナル１３は、印刷配線基板Ｐから容易に取れてしまって、モータ１への給電が不能になる。特に、シャフト７に分銅８が固定されたモータ１においては、落下衝撃時に、回転軸線方向(スラスト方向)にシャフト７が勢い良く変位し易く、シャフト７の変位によってシャフト７の後端７ａがブラケット６に強く当たると、モータケース２からターミナル１３が外れ易くなる。
【００３３】
このような不具合を回避させるために、ホルダ本体３Ａの後端から後方に向けて略回転軸線Ｌ方向に延在する延長部３Ｂの後端で幅方向に拡張されているストッパ部３０を、ブラケット６に設けられた凹部３１内に圧入させている。特に、溶接や接着剤を用いることなく、爪片２ｄによってモータケース２にブラケット６が固定されている場合でも、回転軸線Ｌ方向におけるブラケット６の抜け止め強度が向上し、モータケース２からブラケット６が外れ難くなり、その結果として、印刷配線基板Ｐからターミナル１３が取れ難くなるといった優れた効果を有する。
【符号の説明】
【００３４】
１…表面実装用モータ、２…モータケース、３…ホルダ、３Ａ…ホルダ本体、３Ｂ…延長部、６…ブラケット、７…シャフト、９…ステータ、１０…ロータ、１０ｃ…整流子片、１１…ブラシ、１３…ターミナル、３０…ストッパ部、３１…凹部、Ｐ…印刷配線基板(回路基板)、Ｌ…軸線(回転軸線)。
【図１】
0005590968.tif 000002
【図２】
0005590968.tif 000003
【図３】
0005590968.tif 000004
【図４】
0005590968.tif 000005
【図５】
0005590968.tif 000006
【図６】
0005590968.tif 000007
【図７】
0005590968.tif 000008
【図８】
0005590968.tif 000009
【図９】
0005590968.tif 000010
【図１０】
0005590968.tif 000011
【図１１】
0005590968.tif 000012
【図１２】
0005590968.tif 000013
【図１３】
0005590968.tif 000014